(57)【要約】【課題】水流入空間内の水が散水孔から早く抜けて水垂れを軽減できるシャワーヘッドの散水構造を提供する。【解決手段】シャワー給水管１からシャワーヘッド２の散水板２８の背面側の水流入空間４５に水を供給し、散水板２８に多数点在させた散水孔３６から散水するシャワーヘッドの散水構造である。これににおいて、シャワーヘッド２の水流入空間４５内を仕切りリブ３４にて仕切って複数に分割した分割水流入空間４５ａを形成すると共に各分割水流入空間４５ａにシャワー給水管１から水が夫々供給されるようにする。【選択図】        図１
2006006618.tif 000002
【特許請求の範囲】
【請求項１】
シャワー給水管からシャワーヘッドの散水板の背面側の水流入空間に水を供給し、散水板に多数点在させた散水孔から散水するシャワーヘッドの散水構造において、シャワーヘッドの水流入空間内を仕切りリブにて仕切って複数に分割した分割水流入空間を形成すると共に各分割水流入空間にシャワー給水管から水が夫々供給されるようにしたことを特徴とするシャワーヘッドの散水構造。
【請求項２】
水流入空間の中央から放射状に複数の仕切りリブを設けて略扇形に仕切られた分割水流入空間を形成し、シャワー給水管から水流入空間の中央部に水が供給されるようにしたことを特徴とする請求項１記載のシャワーヘッドの散水構造。
【請求項３】
散水板の背面側に区画リブを立ち上げて散水板の背面に区画リブで区画された多数の区画部を形成したことを特徴とする請求項１または請求項２記載のシャワーヘッドの散水構造。
【請求項４】
複数の区画部には散水孔がある区画部と散水孔のない区画部とがあることを特徴とする請求項３記載のシャワーヘッドの散水構造。
【発明の詳細な説明】
【技術分野】
【０００１】
本発明は、シャワーヘッドから散水する構造に関するものである。
【背景技術】
【０００２】
従来のシャワーヘッドでは、シャワー給水管からシャワーヘッドの散水板の背面側の水流入空間に水を供給し、散水板に多数点在させた散水孔から散水するようになっており、またシャワー給水管からの水の供給を停止したとき水流入空間内の水を抜くために散水板の下部に散水孔よりやや径の大きい水抜き孔を設けたものもある（例えば、特許文献１参照）。  
【特許文献１】実開平５−９６５９号公報
【発明の開示】
【発明が解決しようとする課題】
【０００３】
ところで、大型のシャワーヘッドの場合、散水板の背面側の水流入空間の容積が大きく、給水を停止した後に、水流入空間内の水が全て抜けるまで時間がかかり、シャワーヘッドからの水垂れが長く続くという問題がある。上記従来例の場合、水抜き孔があるために散水孔だけのものに比べて多少早く水抜きされて水垂れの時間が多少短くなるが、大きな容積の水流入空間から全ての水が抜けるのに時間がかかり、水垂れが長く続くという問題があった。
【０００４】
本発明は上記の従来の問題点に鑑みて発明したものであって、水流入空間内の水が散水孔から早く抜けて水垂れを軽減できるシャワーヘッドの散水構造を提供することを課題とするものである。
【課題を解決するための手段】
【０００５】
上記課題を解決するために本発明のシャワーヘッドの散水構造は、シャワー給水管１からシャワーヘッド２の散水板２８の背面側の水流入空間４５に水を供給し、散水板２８に多数点在させた散水孔３６から散水するシャワーヘッドの散水構造において、シャワーヘッドの水流入空間４５内を仕切りリブ３４にて仕切って複数に分割した分割水流入空間４５ａを形成すると共に各分割水流入空間４５ａにシャワー給水管１から水が夫々供給されるようにしたことを特徴とする。このように構成したことにより、シャワーの使用を止めてシャワー給水管１からの給水を停止したとき複数に分割された分割水流入空間４５ａの水が夫々散水孔３６から排出されるものであって、容積が小さくなるように仕切られた各分割水流入空間４５ａから早く水が抜けて水垂れ時間が短くなって水垂れが軽減される。
【０００６】
また水流入空間４５の中央から放射状に複数の仕切りリブ３４を設けて略扇形に仕切られた分割水流入空間４５ａを形成し、シャワー給水管１から水流入空間４５の中央部に水が供給されるようにしたことを特徴とすることも好ましい。この場合、シャワー給水管１からの給水を停止したときシャワーヘッド２の周方向に均等に仕切られた分割水流入空間４５ａからスムーズ且つ均等に排水されて一層水垂れ時間が短くなる。また水流入空間４５が複数の分割水流入空間４５ａに仕切ってあってもシャワーを使用するときはシャワー給水管１から各分割水流入空間４５ａに均等に給水されて各散水孔３６から均等に散水される。
【０００７】
また散水板２８の背面側に区画リブ５０を立ち上げて散水板２８の背面に区画リブ５０で区画された多数の区画部５１を形成したことを特徴とすることも好ましい。シャワー給水管１からの給水が停止されたとき各分割水流入空間４５ａ内の水が散水孔３６から抜けるが、各区画リブ５０が水溜め堰となるように散水板２８の背面の各区画部５１に水が留まり、水流入空間４５の全ての水を散水孔３６から抜かなくても水垂れを防止でき、一層水垂れ時間を短くして水垂れを軽減できる。
【０００８】
また複数の区画部５１には散水孔３６がある区画部５１と散水孔３６のない区画部５１とがあることを特徴とすることも好ましい。散水孔３６のない区画部５１があることによりこの区画部５１に留まる水の量が多くなり、一層水垂れ時間を短くして水垂れを低減できる。
【発明の効果】
【０００９】
本発明は叙述の如く構成されているので、シャワーの使用を止めてシャワー給水管からの給水を停止したとき複数に分割された分割水流入空間の水が夫々散水孔から排出されるものであって、容積が小さくなるように仕切られた各分割水流入空間から早く水が抜けて水垂れ時間が短くなって水垂れが軽減されるという効果がある。
【発明を実施するための最良の形態】
【００１０】
以下、本発明を添付図面に示す実施形態に基いて説明する。
【００１１】
本発明のシャワー装置は、例えば、図１２に示すように浴室１７の洗い場１８の壁面に沿って設けられるものである。洗い場１８の壁面には湯水を混合する混合水栓からなるシャワー給水栓１９を設けてあり、このシャワー給水栓１９から上方にシャワー給水管１を連出してあり、このシャワー給水管１の上部が鶴首状に曲げられており、シャワー給水管１の先端にシャワーヘッド２が装着してある。またシャワー給水栓１９からシャワーホース２０を導出してあり、シャワーホース２０にハンドシャワー２１を設けてある。
【００１２】
鶴首状に曲がったシャワー給水管１の先端には図１や図１１（ａ）に示すように球面部１１を設けてあり、シャワー給水管１には袋ナット４を回転自在に挿通してある。また袋ナット４と球面部１１との間にはリング状のストッパー２２と座金２３を挿通してあり、ストッパー２２が球面部１１の手前の首の溝１１ａに嵌って係止するようになっている。袋ナット４の内周には内鍔２４を設けてあり、この内鍔２４が座金２３を介してストッパー２２に係止するようになっている。また袋ナット４には外周に突出する係止鍔１０を設けてある。
【００１３】
シャワーヘッド２は図２に示すようにシャワーヘッド本体５とカバー８と水座ナット２５とで構成されている。シャワーヘッド本体５はインナーカップ２６とパッキン２７とシャワーフェイスと称される散水板２８で主体が構成されている。
【００１４】
インナーカップ２６は図５に示すように円盤状に形成されて上面の中央には円筒状の接続筒６を突設されており、接続筒６の外周には雄ねじ部７を設けてある。この接続筒６内には図１１（ｂ）のように積み重ねたパッキン３０とブッシュ３１と皿ばね３２が内装される。インナーカップ２６の外周には雄ねじ部３３を設けてあり、インナーカップ２６の下面には放射状に上仕切りリブ３４ａが設けられている。またインナーカップ２６には複数の取り付け孔３５を上下に貫通するように穿孔してあり、またインナーカップ２６の上面には複数の係合突起１３を周方向に設けてある。この係合突起１３は横片１３ａと縦片１３ｂとで断面略逆Ｌ字状に形成されている。
【００１５】
散水板２８は図７に示すように円盤状に形成されており、微細な散水孔３６が多数点在するように穿孔してあり、散水板２８の上面には上記上仕切りリブ３４ａに対応するように下仕切りリブ３４ｂを放射状に設けてある。この散水板２８には上記取り付け孔３５に対応する固定孔３７を下仕切りリブ３４ｂの位置で設けてあり、この固定孔３７にインサートナット３８を埋設してある。そしてこの固定孔３７のインサートナット３８に連結ボルト３９の先端を螺合して連結ボルト３９を植設してある。また散水板２８の上面には区画リブ５０を立ち上げてある。この区画リブ５０に同心円状に設けた複数本の環状リブ５０ａと放射状に設けた複数本の放射リブ５０ｂとがあり、環状リブ５０ａと放射状リブ５０ｂや下仕切りリブ３４ａとで囲まれるように多数の区画部５１を形成してある。散水孔３６は散水板２８の全面に点在するように設けられるが、本例の場合、図８（ａ）のように散水孔３６がある区画部５１と図８（ｂ）のように散水孔３６のない区画部５１とがある。勿論、全ての区画部５１に散水孔３６を設けてあっても構わない。
【００１６】
パッキン２７は図６に示すように円環状に形成されており、上仕切りリブ３４ａや下仕切りリブ３４ｂに対応するように放射状に中仕切りリブ３４ｃを設けてあり、中仕切りリブ３４ｃに固定孔３７や取り付け孔３５に対応するように挿通孔４１を穿孔してある。
【００１７】
インナーカップ２６と散水板２８とパッキン２７とでシャワーヘッド本体５が組み立てられるのであるが、散水板２８の上にパッキン２７を介してインナーカップ２６が重ねられられて一体化するように組み立てられる。このとき下仕切りリブ３４ｂと中仕切りリブ３４ｃと上仕切りリブ３４ａとが対応させられる。散水板２８にパッキン２７を介してインナーカップ２６を重ねたとき連結ボルト３９が挿通孔４１及び取り付け孔３５に図１０に示すように挿通され、連結ボルト３９の係止溝４２にＥリング４３を係止することでインナーカップ２６と散水板２８とが一体化される。このようにインナーカップ２６と散水板２８とが一体化されることによりインナーカップ２６と散水板２８との間に水流入空間４５が形成されるが、この水流入空間４５は上記上仕切りリブ３４ａ、下仕切りリブ３４ｂ及び中仕切りリブ３４ｃよりなる仕切りリブ３４にて複数の分割水流入空間４５ａに仕切られている。また上記接続筒６内は水流入空間４５の各分割水流入空間４５ａに連通している。また環状リブ５０ａと放射リブ５０ｂとからなる区画リブ５０の高さはインナーカップ２６の下面に接触しない高さで各区画部５１は分割水流入空間４５ａに連通していいる。
【００１８】
このように組み立てられたシャワーヘッド本体５はシャワー給水管１の先端に取り付けられるものであり、接続筒６内のパッキン３０とブッシュ３１と皿ばね３２とを内装した球面受部１２にシャワー給水管１の球面部１１が挿入され、接続筒６の雄ねじ部７に袋ナット４を図１１（ｃ）（ｄ）のように螺合することにより取り付けられる。このようにシャワーヘッド本体５を取り付けることでシャワーヘッド本体５が首振り自在になるように取り付けられる。
【００１９】
カバー８は図３に示すように円盤状に形成されており、中央に挿通孔９を穿孔してある。この挿通孔９の径は袋ナット４の外径より大きく係止鍔１０の外径より小さく形成されている。このカバー８の下面には係合突起１３に対応するように複数個の被係合突起１４を周方向に設けてある。この被係合突起１４は縦片１４ａと横片１４ｂとで断面Ｌ字状に形成されると共に周方向の端部に止め片１４ｃを設けて形成されている。この被係合突起１４の縦片１４ａには図４に示すように密着用突起１５を突設してある。
【００２０】
このカバー８の挿通孔９は図１１（ｅ）に示すようにシャワー給水管１に挿通してあり、カバー８の挿通孔９を袋ナット４の外周に挿通し、カバー８を回転して係合突起１３と被係合突起１４とを図９に示すように係合させてカバー８をシャワーヘッド本体５に装着してある。カバー８を回転して係合突起１３と被係合突起１４とを係合するとき係合突起１３が止め片１４ｃに当る位置まで回転させられる。またこのとき、密着用突起１５が係合突起１４の横片１４ａの先端に密着する。このようにカバー８を取り付けた状態でカバー８の挿通孔９の孔縁が袋ナット４の係止鍔１０に係止する。
【００２１】
水座ナット２５は円環状に形成されており、内周に雌ねじ部４６を設けてある。この水座ナット２５はシャワーヘッド本体５の下から被嵌され、雌ねじ部４６をシャワーヘッド本体５の外周の雄ねじ部３３に螺合することで水座ナット２５をシャワーヘッド本体５に取り付けてある。
【００２２】
上記のようにシャワー給水管１の先端にシャワーヘッド２が取り付けられるが、球面部１１と球面受部１２との嵌合でシャワーヘッド２が首振り自在であり、シャワーヘッド２の向きを自由に向けることができて使い勝手がよい。
【００２３】
シャワーを使用するときはシャワー給水管１から水が供給されるが、シャワー給水管１から接続筒６を介して水流入空間４５の各分割水流入空間４５ａに流入し、分割水流入空間４５ａから区画部５１を介して散水孔３６から散水される。このとき水流入空間４５が複数の分割水流入空間４５ａに分割されていても水流入空間４５が放射状に仕切りリブ３４を設けて略扇形に仕切られた分割水流入空間４５ａになっていると、シャワー給水管１から各分割水流入空間４５ａに均等に給水されて各散水孔３６から均等に散水される。
【００２４】
シャワーの使用を止めたときは、シャワー給水管１からの給水が停止されるが、水流入空間４５に残っている水は散水孔３６から排水される。このとき、水流入空間４５が複数の分割水流入空間４５ａに仕切られているため、容積が小さくなるように仕切られた各分割水流入空間４５ａから別々に水が抜けることになり、早く水が抜けて水垂れ時間が短くなる。このとき水流入空間４５が放射状に仕切りリブ３４を設けて略扇形に仕切られた分割水流入空間４５ａになっていると、均等に仕切られた略扇形の分割水流入空間４５ａからスムーズ且つ均等に排水されて一層水垂れ時間が短くなる。
【００２５】
また分割水流入空間部４５ａ内の水が散水孔３６から抜けるが、散水板２８に複数の区画リブ５０を設けて多数の区画部５１を形成してあると、区画リブ５０が水止め堰となるように散水板２８の背面の各区画部５１に水留まり、各分割水流入空間４５ａの全ての水を散水孔３６から抜かなくとも水垂れを防止でき、一層水垂れ時間を短くできる。また散水孔３６のある区画部５１と散水孔３６のない区画部５１を設けてあると、散水孔３６のない区画部５１では区画部５１に留まる水の量が多くなり、一層水垂れ時間を短くできる。
【図面の簡単な説明】
【００２６】
【図１】本発明の実施の形態の一例のシャワーヘッドの取り付け状態を示す一部省略断面図である。
【図２】同上のシャワーヘッドの分解断面図である。
【図３】同上のカバーを示し、（ａ）は正面から見た断面図、（ｂ）は底面図である
【図４】同上の被係止突起の構造を説明するたの一部を切欠した拡大底面図である。
【図５】同上のインナーカップを示し、（ａ）は平面図、（ｂ）は（ａ）のＡ−Ａ′線断面図、（ｃ）は底面図である。
【図６】同上のパッキンの平面図である。
【図７】同上の散水板の平面図である。
【図８】（ａ）（ｂ）は散水板に設ける区画部を説明する斜視図である。
【図９】同上の係合突起と被係合突起を係合した部分を拡大せる断面図である。
【図１０】（ａ）（ｂ）はインナーカップと散水板とを連結ボルトで連結する状態を説明する断面図である。
【図１１】（ａ）（ｂ）（ｃ）（ｄ）（ｅ）は同上の組み立て方を説明するための斜視図である。
【図１２】同上のシャワー装置を浴室の設けた状態を示し、（ａ）は正面から見た断面図、（ｂ）は平面から見た断面図である。
【符号の説明】
【００２７】
１  シャワー給水管  
２  シャワーヘッド
２８  散水板
３６  散水孔
３４  仕切りリブ
４５  水流入空間
４５ａ  分割水流入空間
５０  区画リブ
５１  区画部
【図１】
2006006618.tif 000003
【図２】
2006006618.tif 000004
【図３】
2006006618.tif 000005
【図４】
2006006618.tif 000006
【図５】
2006006618.tif 000007
【図６】
2006006618.tif 000008
【図７】
2006006618.tif 000009
【図８】
2006006618.tif 000010
【図９】
2006006618.tif 000011
【図１０】
2006006618.tif 000012
【図１１】
2006006618.tif 000013
【図１２】
2006006618.tif 000014